(57)【要約】【課題】洗濯兼脱水槽に循環水路を設けた洗濯機において、洗剤を溶かすために洗い工程の前に行う洗剤溶解工程を省略するとともに、濃度の高い洗濯液を洗濯物全体に注いで、洗浄性能を向上する。【解決手段】中央底部にパルセータ２を回転自在に配設した洗濯兼脱水槽１の内面に、洗濯兼脱水槽１と循環水路カバー１３で循環水路１４を形成し、循環水路カバー１３の途中に洗剤投入用カバー１５を開閉自在に設け、洗剤投入用カバーから投じられた洗剤が洗濯兼脱水槽の外側に流れ出るように洗濯兼脱水槽側面には開口部を備え、前記洗剤投入用カバーに設けられたリブは、洗濯兼脱水槽内に洗剤を投入するときに洗剤が洗濯兼脱水槽内にこぼれ落ちることなく確実に投入されるリブを構成する。【選択図】図２
2013240407.tif 000002
【特許請求の範囲】
【請求項１】
中央底部にパルセータを回転自在に配設し、側面に開口部を有する洗濯兼脱水槽と、
前記洗濯兼脱水槽を収容する水受け槽と、
前記洗濯兼脱水槽の内面に洗濯兼脱水槽および循環水路カバーにより形成された循環水路と、
前記循環水路に開閉自在に設けられた洗剤投入部とを備え、
前記洗剤投入部は、少なくとも開成時に、前記洗濯兼脱水槽および前記水受け槽により形成される空間に洗剤を導く洗濯機。
【請求項２】
前記開口部は、前記循環水路に複数設けられ、
前記洗剤投入部には、複数の前記開口部に洗剤を誘導する洗剤誘導部が設けられた請求項１に記載の洗濯機。
【請求項３】
前記洗剤誘導部は、前記洗剤投入部の内壁に設けられた請求項２に記載の洗濯機。
【発明の詳細な説明】
【技術分野】
【０００１】
本発明は、洗濯兼脱水槽に洗剤投入用カバーを設けた洗濯機に関する。
【背景技術】
【０００２】
従来、この種の洗濯機は図７に示すような構成が一般的であった。以下、その構成について説明する。
【０００３】
図７は、従来の洗濯機の縦断面図である。図７に示すように、洗濯兼脱水槽２５は、底面にパルセータ２６を回転自在に配設し、水受け槽２７は、洗濯兼脱水槽２５の外側に設けており、モータ２８は、減速機構兼クラッチ３０を介して、洗濯兼脱水槽２５またはパルセータ２６を駆動する。排水弁３１は洗濯兼脱水槽２５内の洗濯水を排水し、給水弁３２は洗濯兼脱水槽２５内に給水するものである。また、水受け槽２７は筐体３３にサスペンション３４によって防振支持されている。環状の流体バランサー３５は洗濯兼脱水槽２５の上部に設け、脱水時の振動を低減するものである。
【０００４】
制御装置３６は、モータ２８、排水弁３１、給水弁３２などを制御して、洗い、すすぎ、脱水の一連の工程を逐次制御するものである。
【０００５】
洗濯兼脱水槽２５の内面に、循環水路カバー３７と洗濯兼脱水槽２５とで循環リント水路３８を形成している（例えば、特許文献１参照）。
【０００６】
上記構成において動作を説明する。使用者は、洗濯兼脱水槽２５に洗濯物を投入した後、洗剤投入用カバー４０を開き、洗剤を投入する。洗剤は洗濯兼脱水槽２５と循環水路カバー３７の間のポンプ室４２に落ちる。その後、洗濯を開始すると、制御装置３６により給水弁３２を制御して洗濯兼脱水槽２５内に所定の水が給水される。その後、制御装置３６により制御されたモータ２８の回転に応じて、洗濯兼脱水槽２５が回転し、ポンプ室４２の間に落ちた洗剤が溶解される。さらに給水が進み、パルセータ２６が駆動することによりポンプ室４２に投入された洗剤は、下側羽根４１の回転の機械力により、外側に押し出され、ポンプ室４２から循環リント水路３８を上昇する。このようにして洗濯兼脱水槽２５の中の洗濯物と洗濯液が撹拌され、洗濯物が洗浄される。
【先行技術文献】
【特許文献】
【０００７】
【特許文献１】特開昭６３−１１７７９８号公報
【発明の概要】
【発明が解決しようとする課題】
【０００８】
しかしながら、従来の構成では、洗剤が完全に溶解されないうちにリントフィルタ３９にまで洗濯液が達してしまうと、リントフィルタ３９のフィルターメッシュに洗剤が残ったり、洗剤により目詰まりを起こしたりするという課題を有していた。また、リントフィルタ３９の洗剤を溶かすために、洗い工程の前にリントフィルタ３９にまで洗濯液を上げないようにパルセータ２６を回転させる洗剤溶解工程を行なわなければならないという課題を有していた。
【０００９】
本発明は上記従来の課題を解決するもので、洗濯物を収容する洗濯兼脱水槽を水受け槽に回転自在に収容し、洗濯兼脱水槽を駆動手段により回転駆動するよう構成し、循環水路カバーに洗剤投入部を開閉自在に設けており、洗剤を、循環水路カバーを介して、洗濯兼
脱水槽外に供給することができる洗濯機である。
【００１０】
これにより、洗濯兼脱水槽の回転によって水と洗剤とを溶解させることで、通常の洗濯水位よりも低い水位で洗剤を溶かすことができ、洗剤を溶かすために洗い工程の前に行う洗剤溶解工程を省略するとともに、洗剤の溶け残りを防止し、濃度の高い洗濯液を洗濯物全体に注いで、洗浄性能を向上することを目的としている。
【課題を解決するための手段】
【００１１】
本発明は上記目的を達成するために、中央底部にパルセータを回転自在に配設し、側面に開口部を有する洗濯兼脱水槽と、前記洗濯兼脱水層を収容する水受け槽と、前記洗濯兼脱水槽の内面に洗濯兼脱水槽および循環水路カバーにより形成された循環水路と、前記循環水路に開閉自在に設けられた洗剤投入部とを備え、前記洗剤投入部は、少なくとも開成時に、前記洗濯兼脱水槽および前記水受け槽により形成される空間に洗剤を導くように構成したものである。
【００１２】
これにより、洗剤を溶かすために洗い工程の前に行う洗剤溶解工程を省略できるとともに、洗剤の溶け残りを防止し、濃度の高い洗濯液を洗濯物全体に注いで、洗浄性能を向上することができる。
【発明の効果】
【００１３】
以上のように、本発明によれば、洗剤を溶かすために洗い工程の前に行う洗剤溶解工程を省略できるとともに、洗剤の溶け残りを防止し、濃度の高い洗濯液を洗濯物全体に注いで、洗浄性能を向上することができる。
【図面の簡単な説明】
【００１４】
【図１】本発明の実施の形態１における洗濯機の縦断面図
【図２】同洗濯機の洗剤投入用カバーを開いた状態の要部斜視図
【図３】同洗濯機の洗濯兼脱水槽の縦断面図
【図４】同洗濯機の洗剤投入用カバーの開閉動作を示す縦断面図
【図５】同洗濯機の洗剤投入用カバーの縦断面図
【図６】本発明の実施の形態２における洗剤投入用カバーを開いた状態の要部斜視図
【図７】従来の洗濯機の縦断面図
【発明を実施するための形態】
【００１５】
本発明は、中央底部にパルセータを回転自在に配設し、側面に開口部を有する洗濯兼脱水槽と、前記洗濯兼脱水層を収容する水受け槽と、前記洗濯兼脱水槽の内面に洗濯兼脱水槽および循環水路カバーにより形成された循環水路と、前記循環水路に開閉自在に設けられた洗剤投入部とを備え、前記洗剤投入部は、少なくとも開成時に、前記洗濯兼脱水槽および前記水受け槽により形成される空間に洗剤を導くように構成したものである。
【００１６】
これにより、洗剤を溶かすために洗い工程の前に行う洗剤溶解工程を省略でき、洗濯時間を短縮することができる。また、洗剤溶解工程はリントフィルタにまで洗濯液を上げないようにパルセータの回転を制限していたが、リントフィルタに洗剤が溶け残るような心配がないので、パルセータの回転を制限せずにすみ、洗浄性能を向上させることができる。また、少ない水量であっても、洗剤の溶け残りを防止しつつ、濃度の高い洗濯液を洗濯物全体に注ぐことができるので、洗浄性能を向上させることができる。
【００１７】
また、本発明の前記開口部は、前記循環水路に複数設けられ、前記洗剤投入部には、複数の前記開口部に洗剤を誘導する洗剤誘導部が設けられている。
【００１８】
これにより、洗剤が洗濯兼脱水槽内に投入される可能性が低くなり、リントフィルタに洗剤が残ることを防止することができる。
【００１９】
また、本発明の前記洗剤誘導部は、前記洗剤投入部の内壁に設けられたものである。リブにより、複数の開口部に洗剤を誘導することができ、洗剤が洗濯兼脱水槽内に投入される可能性が低くなり、リントフィルタに洗剤が残ることを防止することができる。
【００２０】
（実施の形態１）
以下、本発明の実施の形態１について、図面を参照しながら説明する。
【００２１】
図１は、本発明の実施の形態１における洗濯機の縦断面図、図２は、本発明の実施の形態１における洗濯機の洗剤投入用カバーを開いた状態の要部斜視図、図３は、本発明の実施の形態１における洗濯機の洗濯兼脱水槽の縦断面、図４は、本発明の実施の形態１における洗濯機の洗剤投入用カバーの開閉動作を示す縦断面図、図５は、本発明の実施の形態１における洗濯機の洗剤投入用カバーの縦断面図である。
【００２２】
図１に示すように、洗濯兼脱水槽１は、上部に開口部を有し、中央底部にパルセータ２を回転自在に配設している。水受け槽３は、洗濯兼脱水槽１の外側に設けて、洗濯兼脱水槽１を収容している。モータ４は、ベルト５および減速機構兼クラッチ６を介して、洗濯兼脱水槽１またはパルセータ２を回転駆動する。排水弁７は洗濯兼脱水槽１内の洗濯水を排水し、給水弁８は洗濯兼脱水槽１内に給水するものである。また、水受け槽３は筐体９にサスペンション１０によって防振支持されている。環状の流体バランサー１１は洗濯兼脱水槽１の上部に設けられており、脱水時など、洗濯兼脱水槽が回転したときの振動を低減するものである。
【００２３】
制御装置１２は、モータ４、排水弁７、給水弁８などを制御して、洗い、すすぎ、脱水の一連の工程を逐次制御するものである。
【００２４】
洗濯兼脱水槽１の内面に、循環水路カバー１３と洗濯兼脱水槽１とで循環水路１４を形成している。循環水路カバー１３の途中に洗剤投入用カバー１５（洗剤投入部）を開閉自在に設けている。洗剤投入用カバー１５は複数設けられており、本実施の形態においては、２個設けられている。また、洗剤投入用カバー１５は、洗濯兼脱水槽１の接合部を覆うように設けられておいる。循環水路カバー１３および洗剤投入用カバー１５によって、洗濯兼脱水槽１の接合部が使用者から見えないように構成することにより、見栄えのよいものとしている。
【００２５】
図２に示すように、洗剤投入用カバー１５の下部に対向する洗濯兼脱水槽の側壁には、複数の開口部２４が設けられている。開口部２４は洗濯兼脱水槽１の接合部をまたぐように開口部２４ａ、２４ｂに分割して設け、洗剤投入用カバー１５は軸１７を中心に回動している。また、洗剤投入用カバー１５は、循環水路カバー１３から着脱自在に構成されている。
【００２６】
開成時には、洗剤投入用カバー１５の端部が、洗濯兼脱水槽１および水受け槽３により形成される空間に突出するように構成されている。これにより、洗剤投入用カバー１５を開成して洗剤を投入した際には、洗濯兼脱水槽１より外側に洗剤を供給することができる。
【００２７】
また、洗剤投入用カバー１５には、開口部２４の端面を覆い隠すようなリブ２５が設けられている。リブ２５は洗剤投入用カバー１５から洗剤を投入するときに洗剤がこぼれ落ちないよう洗剤を誘導することを目的としている。
【００２８】
上記構成において、以下、動作を説明する。
【００２９】
使用者が洗濯兼脱水槽１に洗濯物を投入した後、洗剤投入用カバー１５を開く。開成時、洗剤投入用カバー１５は、水平よりもやや上向きに傾斜している。使用者が洗剤を洗剤投入用カバー１５の洗剤受け面１５ａ（内壁）に置くと、洗剤投入用カバー１５は洗濯兼脱水槽１の外周側に連通しているので、洗剤は、洗濯兼脱水槽１と、水受け槽３とで形成される空間に供給される。また、使用者が洗剤投入用カバー１５を閉めると、一部、洗剤投入用カバー１５の洗剤受け面１５ａ上に残った洗剤は、さらに傾斜がついた洗剤投入用カバー１５から、下方に落ちる。このとき、リブ２５（洗剤誘導部）は開閉動作時に循環水路カバー１３と隙間が生じないように、開口部２４ａ、２４ｂにまたがるよう設けられている。リブ２５によって、開閉動作時に洗濯兼脱水槽内へ洗剤が零れ落ちるのを防止する。
【００３０】
その後、洗濯を開始すると、制御装置１２により給水弁８を制御して洗濯兼脱水槽１内に所定の水が給水される。制御装置１２により制御されたモータ４の回転に応じて、洗濯兼脱水槽が回転する。このとき、洗濯兼脱水槽１と水受け槽３の間の洗剤は回転する洗濯兼脱水槽１の水の勢いによって溶解される。
【００３１】
このように、構成したことにより、洗剤を初期に水と混ぜ合わせてしまうことにより、洗剤を溶かすために洗い工程の前に行う洗剤溶解工程を省略できる。また、洗剤溶解工程はリントフィルタにまで洗濯液を上げないようにパルセータの回転を制限していたが、リントフィルタに洗剤が溶け残るような心配がないので、パルセータの回転を制限せずにすみ、洗浄性能を向上させることができる。また、少ない水量であっても洗剤の溶け残りを防止しつつ、濃度の高い洗濯液を洗濯物全体に注ぐことができるので、洗浄性能を向上させることができる洗剤の溶け残りを防止し、洗浄性能を向上することができる。
【００３２】
（実施の形態２）
図６は、本発明の実施の形態２における洗剤投入用カバーを開いた状態の要部斜視図である。本実施の形態において、洗剤投入用カバー１５には、洗剤誘導部としての突起部が設けられている。その他の構成は実施の形態１を援用する。以下、実施の形態１と異なる構成を説明する。
【００３３】
図６に示すように、洗剤投入用カバー１５の洗剤受け面１５ａ（内壁）に別途、突起部２６がさらに設けられている。洗剤投入用カバー１５を閉めると、洗剤は洗濯兼脱水槽１と水受け槽３の間に落ちる。このとき突起部２６は開閉動作時に循環水路カバー開口部へ洗剤が円滑に流れ出るように誘導するため、開閉動作時に洗濯兼脱水槽内へ洗剤がこぼれ落ちるのを防止することができる。よって、リントフィルタに洗剤が残ることを防止することができる。
【産業上の利用可能性】
【００３４】
本発明は、洗剤投入部が、少なくとも開成時に、洗濯兼脱水槽および水受け槽により形成される空間に洗剤を導くことができるので、家庭用洗濯機や洗濯乾燥機として有用である。
【符号の説明】
【００３５】
１  洗濯兼脱水槽
２  パルセータ
３  水受け槽
１３  循環水路カバー
１４  循環水路
１５  洗剤投入用カバー（洗剤投入部）
２２  吐出口
２４  開口部
２５  リブ（洗剤誘導部）
２６  突起部（洗剤誘導部）
【図１】
2013240407.tif 000003
【図７】
2013240407.tif 000004
【図２】
2013240407.tif 000005
【図３】
2013240407.tif 000006
【図４】
2013240407.tif 000007
【図５】
2013240407.tif 000008
【図６】
2013240407.tif 000009